(57)【特許請求の範囲】
【請求項１】
信号光の入出力を行う、複数の第１のポートと複数の第２のポートと、
一つの第１のポートからの入射光を複数の偏向角に同時に出射可能な偏向素子を備え、
前記複数の第１のポートのうち任意の２つのポートＸ、Ｘ’からの前記偏向素子への入射角をθinX,θinX’、
前記複数の第２のポートのうち任意の２つのポートＹ、Ｙ’へ結合するための前記偏向素子からの出射角をθoutY,θoutY’としたとき、
全てのX,X’,Y,Y’の組み合わせにおいて
θinX - θinX'  ≠ θoutY - θoutY’
を満たしており、
前記複数の第１のポートのうち所定のポートからの前記偏向素子への入射光の前記複数の偏向角を、その出射光が、前記複数の第２のポートのうち所定のポートに光結合するように選択できる
ことを特徴とする光入出力装置。
【請求項２】
請求項１に記載の光入出力装置において、
前記偏向素子がマトリックス状に平面配列された複数の画素を有し、前記第１のポートから入力された信号光に対して、画素位置に応じて設定された位相値に基づいた位相変化量を前記各画素で与えて空間位相変調することにより光を偏向する位相変調素子であり、
前記位相変調素子の各画素に設定する位相パタンを生成するパタン生成部と
前記生成した位相パタンを前記位相変調素子の各画素の駆動信号に変換して、該駆動信号に従い前記位相変調素子の画素を駆動する駆動部とをさらに備える
ことを特徴とする光入出力装置。
【請求項３】
請求項２に記載の光入出力装置において、
前記位相変調素子の各画素に設定する位相パタンを生成する前記パタン生成部が、前記第１のポートからの入射光を前記複数の偏向角に同時に出射するために２つ以上の周期性位相パタンを重畳した位相パタンを生成する
ことを特徴とする光入出力装置。
【請求項４】
請求項３に記載の光入出力装置において、
前記パタン生成部は、前記第１のポートのうち１つの基準となるポートから入射する信号光が位相変調素子の法線方向に対する角度をθin、前記第２のポートのうち１つの任意のポートに光結合するために位相変調素子の法線方向に対する出射する信号光のなすべき角度をθ0、回折次数をｍ、入射光の波長をλとしたときに、ｓｉｎθin＋ｓｉｎθ0＝ｍ・λ／Λを満たすΛを、前記周期性位相パタンの基準の周期Λと決定し、
前記第１のポートのうち基準ポート以外の１つ以上の追加のポートから入射する信号光が位相変調素子の法線方向に対する角度をθin_k、
前記第２のポートのうち、前記第１のポートのうち基準ポートと光結合しているポート以外のポートに光結合するために位相変調素子の法線方向に対する出射する信号光のなすべき角度をθo_l、入力光の波長をλ、m,nを回折次数としたときに、
sinθin_k + sinθo_l ＝ m・λ／Λ + n・λ／ｗn
を満たすｗnを前記周期性位相パタンの追加する周期ｗnと決定し、
前記決定された異なる周期Λ、ｗnを有する１つ以上の周期性位相パタンを重畳することにより前記位相変調素子の各画素に設定する前記位相パタンを生成する
ことを特徴とする光入出力装置。
【請求項５】
請求項３乃至４のいずれかに記載の光入出力装置において、
前記位相変調素子の平面内の領域毎に異なる周期を有する周期性の位相パタンが重畳されることを特徴とする光入出力装置。
【請求項６】
請求項１乃至５のいずれかに記載の光入出力装置において、
前記偏向素子が反射型または透過型であることを特徴とする光入出力装置。
【請求項７】
請求項３乃至６のいずれかに記載の光入出力装置において、
前記複数の周期性位相パタンの各振幅の比が、光結合するポートの光結合比により決定されることを特徴とする光入出力装置。
【請求項８】
請求項１乃至７のいずれかに記載の光入出力装置において、
前記ポートと前記偏向素子の間に波長分散素子を設けたことを特徴とする光入出力装置。
【請求項９】
請求項１乃至８のいずれかに記載の光入出力装置において、
前記第１のポートおよび前記第２のポートと異なるポートであって信号光の入出力を行う、一つないし複数の第３のポートと一つないし複数の第４のポートを備え、
前記第１のポートのうちポートＸからの前記偏向素子への入射角をθinX、
前記第２のポートのうちポートＹへ結合するための前記偏向素子からの出射角をθoutY、
前記第３のポートのうちポートＷからの前記偏向素子への入射角をθinW、
前記第４のポートのうちポートＺへ結合するための前記偏向素子からの出射角をθoutZ、
としたとき、
θinX - θinW ＝ θoutY - θoutZ
を満たしている
ことを特徴とする光入出力装置。
【発明の詳細な説明】
【技術分野】
【０００１】
本発明は、光ネットワークに使用する光入出力装置に関する。
【背景技術】
【０００２】
環状に光ノードを接続する光リングネットワークにおいては，各ノードにおいて光信号の分岐・挿入を可能とするＲＯＡＤＭ（Reconfigurable Optical Add/Drop Multiplexer）システムが導入されてきており、このような光リングネットワークをＲＯＡＤＭリングと呼んでいる。
【０００３】
ＲＯＡＤＭリングの各ノードは、任意の波長信号を任意のポートに接続する機能が必要であるが、この機能を実現するための装置として、空間光学系に光回折素子と光偏向素子を組み込んだ波長選択スイッチ（ＷＳＳ:Wavelength Selective Switch）が用いられている。
【０００４】
空間光学系のＷＳＳは、導波路系のＷＳＳと比較すると、広帯域性や低損失性に優れているため、最近急激に普及しつつある。この空間光学系のＷＳＳで用いられる光偏向素子は、ＭＥＭＳ（Micro Electro Mechanical Systems）技術により作製された鏡面反射型と、ＬＣＯＳ（Liquid crystal on silicon）技術により作製された波面整形型に大別され、前者は主に大規模用、後者は主に帯域可変用というように、目的に応じて使い分けられている。
【０００５】
なお、以下において、空間光学系のＷＳＳを単に「ＷＳＳ」と呼ぶ。また、現在普及しているＷＳＳは、入力ポートが１つで出力ポートが複数のいわゆるＤＲＯＰ型と、入力ポートが複数で出力ポートが１つのいわゆるＡＤＤ型があるが、これらを総称して「１ｘＮ型ＷＳＳ」と呼ぶ。
【０００６】
今後、ＲＯＡＤＭリングは、複数のＲＯＡＤＭリングを連結した全光ＷＤＭメッシュネットワークに発展していくと予想されるが、ＲＯＡＤＭリング間の接続ノードに用いられる波長クロスコネクトスイッチ（Wavelength cross-connect switch 以下、「ＷＸＣ」と呼ぶ。）は、入力ポートも出力ポートも複数有することになるため、複数の入力ポートから同一波長信号が入力されてもその信号をブロックさせない機能（以下、「コンテンションレス機能」と呼ぶ。）が必要になる。ところが、ＷＸＣを１ｘＮ型ＷＳＳで構成すると多数のＷＳＳが必要になるため、サイズ、コストが増大してしまう。そこで今後は、複数の入力ポートと複数の出力ポートを有し、複数の１ｘＮ型ＷＳＳの機能を単一の光学系に統合した次世代ＷＳＳへの需要が高まると予想される。なお、以下において、この次世代ＷＳＳを「ＭｘＮ型ＷＳＳ」と呼ぶ。
【０００７】
一例として、ＷＸＣが２つの入力ポートと４つの出力ポートを必要とする場合について説明する。これを、１ｘＮ型ＷＳＳで実現しようとする場合には、図１に示すように、入力ポートが１つ、出力ポートが４つの１ｘ４ＤＲＯＰ型ＷＳＳ１００１，１００２と、入力ポートが２つ、出力ポートが１つの２ｘ１ＡＤＤ型ＷＳＳ１０１１〜１０１４という、６つの１ｘＮ型ＷＳＳが必要となる。
【０００８】
これに対して、ＭｘＮ型ＷＳＳを主要光学部品を共有した単一光学系に統合した場合は、図２に示すように、入力ポートが２つ、出力ポートが４つの２ｘ４型ＷＳＳ１０２１のみで実現することができる。したがってこの場合、ＭｘＮ型ＷＳＳでは、１ｘＮ型ＷＳＳと比較して、主要光学部品数を約１／６、モジュールサイズを約１／６に削減することができ、また、ファイバ余長処理スペースを大幅に削減可能であるので、結果として、ＷＸＣのサイズ、コストを劇的に低減させることができる。
【０００９】
また、このような複数の入力ポートと複数の出力ポート間の任意のポート間を接続する光クロスコネクトスイッチ(Optical cross-connect switch  以下、「ＯＸＣ」と呼ぶ。)は、任意の波長信号に対する制御機能がなくとも、ファイバー間の接続切り替えに有用である。
【００１０】
現在までに、ＭｘＮ型ＷＳＳを単一の光学系で実現する検討の報告はなされているが、複数の入力光を独立して制御するため、光偏向素子に複数回入力する必要があることから光学系が複雑になり、主要光学部品数やモジュールサイズの削減には限界があった（非特許文献１）。
【００１１】
また、１ｘＮ型ＷＳＳの高機能化の試みとして、一つの入力ポートから入力された同一波長信号を、複数の出力ポートに分岐して出力する機能の実現が報告されている。この技術はＷＳＳ内の位相変調素子での位相変調により、複数の角度へ同時に光を回折させることで実現されている（非特許文献２）。本発明は、この複数角度への同時回折を利用した小型のＷＸＣおよびＯＸＣに関するものである。
【先行技術文献】
【非特許文献】
【００１２】
【非特許文献１】N. K. Fortaine, R. Roy and D. T. Neilson, “N×M Wavelength Selective Crossconnect with Flexible Passbands”, Proc. Optical Fiber Communication Conference 2012, no. PDP5B.2, Los Angeles, California, March 2012.
【非特許文献２】H. Yang, B. Robertson and D. Chu, “Crosstalk Reduction in Holographic Wavelength Selective Switches Based on Phase-only LCOS Devices,” Proc. Optical Fiber Communication Conference 2014, no. Th2A.23, San Francisco, California, March 2014.
【発明の概要】
【発明が解決しようとする課題】
【００１３】
低コスト・低消費電力なＲＯＡＤＭリング、特に複数のＲＯＡＤＭリングを連結した光ネットワークを実現するために、小型で簡易な構成を持つＷＸＣは非常に有効なデバイスである。しかしながら、従来報告されている空間光学型のＷＸＣでは、方路数に対応した数の偏向部を用意する必要があり、装置の大型化・複雑化の原因となっていた。
【００１４】
本発明は上記従来の問題に鑑みなされたものであって、本発明の課題は、従来のＷＳＳと同様の構成を持ってＷＸＣの機能を実現することにより、小型のＷＸＣ機能をもつ光入出力装置を提供する事にある。
【課題を解決するための手段】
【００１５】
上記の課題を解決するために、一実施形態に記載の発明は、信号光の入出力を行う、複数の入力ポートおよび複数の出力ポートと、光偏向部を持ち、前記偏向部は前記複数の入力ポートと複数の出力ポートのうち任意の組み合わせに基づいて、２つ以上の角度に光を偏向することを特徴とする光入出力装置である。
【００１６】
具体的には、以下のような発明の構成により前記の課題を解決することができる。
【００１７】
（発明の構成１）
信号光の入出力を行う、複数の第１のポートと複数の第２のポートと、
一つの第１のポートからの入射光を複数の偏向角に同時に出射可能な偏向素子を備え、
前記複数の第１のポートのうち任意の２つのポートＸ、Ｘ’からの前記偏向素子への入射角をθinX,θinX’、
前記複数の第２のポートのうち任意の２つのポートＹ、Ｙ’へ結合するための前記偏向素子からの出射角をθoutY,θoutY’としたとき、
全てのX,X’,Y,Y’の組み合わせにおいて
θinX - θinX’ ≠ θoutY - θoutY’
を満たしており、
前記複数の第１のポートのうち所定のポートからの前記偏向素子への入射光の前記複数の偏向角を、その出射光が、前記複数の第２のポートのうち所定のポートに光結合するように選択できる
ことを特徴とする光入出力装置。
【００１８】
（発明の構成２）
発明の構成１に記載の光入出力装置において、
前記偏向素子がマトリックス状に平面配列された複数の画素を有し、前記第１のポートから入力された信号光に対して、画素位置に応じて設定された位相値に基づいた位相変化量を前記各画素で与えて空間位相変調することにより光を偏向する位相変調素子であり、
前記位相変調素子の各画素に設定する位相パタンを生成するパタン生成部と
前記生成した位相パタンを前記位相変調素子の各画素の駆動信号に変換して、該駆動信号に従い前記位相変調素子の画素を駆動する駆動部とをさらに備える
ことを特徴とする光入出力装置。
【００１９】
（発明の構成３）
発明の構成２に記載の光入出力装置において、
前記位相変調素子の各画素に設定する位相パタンを生成する前記パタン生成部が、前記第１のポートからの入射光を前記複数の偏向角に同時に出射するために２つ以上の周期性位相パタンを重畳した位相パタンを生成する
ことを特徴とする光入出力装置。
【００２０】
（発明の構成４）
発明の構成３に記載の光入出力装置において、
前記パタン生成部は、前記第１のポートのうち１つの基準となるポートから入射する信号光が位相変調素子の法線方向に対する角度をθin、前記第２のポートのうち１つの任意のポートに光結合するために位相変調素子の法線方向に対する出射する信号光のなすべき角度をθｏ、回折次数をｍ、入射光の波長をλとしたときに、ｓｉｎθin＋ｓｉｎθｏ＝ｍ・λ／Λを満たすΛを、前記周期性位相パタンの基準の周期Λと決定し、
前記第１のポートのうち基準ポート以外の１つ以上の追加のポートから入射する信号光が位相変調素子の法線方向に対する角度をθin_k、
前記第２のポートのうち、前記第１のポートのうち基準ポートと光結合しているポート以外のポートに光結合するために位相変調素子の法線方向に対する出射する信号光のなすべき角度をθo_l、入力光の波長をλ、m,nを回折次数としたときに、
sinθin_k + sinθo_l ＝ m・λ／Λ + n・λ／ｗn
を満たすｗnを前記周期性位相パタンの追加する周期ｗnと決定し、
前記決定された異なる周期Λ、ｗnを有する１つ以上の周期性位相パタンを重畳することにより前記位相変調素子の各画素に設定する前記位相パタンを生成する
ことを特徴とする光入出力装置。
【００２１】
（発明の構成５）
発明の構成３乃至４のいずれかに記載の光入出力装置において、
前記位相変調素子の平面内の領域毎に異なる周期を有する周期性の位相パタンが重畳されることを特徴とする光入出力装置。
【００２２】
（発明の構成６）
発明の構成１乃至５のいずれかに記載の光入出力装置において、
前記偏向素子が反射型または透過型であることを特徴とする光入出力装置。
【００２３】
（発明の構成７）  
発明の構成３乃至６のいずれかに記載の光入出力装置において、
前記複数の周期性位相パタンの各振幅の比が、光結合するポートの光結合比により決定されることを特徴とする光入出力装置。
【００２４】
（発明の構成８）
発明の構成１乃至７のいずれかに記載の光入出力装置において、
前記ポートと前記偏向素子の間に波長分散素子を設けたことを特徴とする光入出力装置。
【００２５】
（発明の構成９）
発明の構成１乃至８のいずれかに記載の光入出力装置において、
前記第１のポートおよび前記第２のポートと異なるポートであって信号光の入出力を行う、一つないし複数の第３のポートと一つないし複数の第４のポートを備え、
前記第１のポートのうちポートＸからの前記偏向素子への入射角をθinX、
前記第２のポートのうちポートＹへ結合するための前記偏向素子からの出射角をθoutY、
前記第３のポートのうちポートＷからの前記偏向素子への入射角をθinW、
前記第４のポートのうちポートＺへ結合するための前記偏向素子からの出射角をθoutZ、
としたとき、
θinX - θinW ＝ θoutY - θoutZ
を満たしている
ことを特徴とする光入出力装置。
【図面の簡単な説明】
【００２６】
【図１】２入力４出力ポートのＷＸＣを１ｘＮ型ＷＳＳで実現した場合の従来の構成例を示す図である。
【図２】２入力４出力ポートのＷＸＣをＭｘＮ型ＷＳＳで実現した場合の構成例を示す図である。
【００２７】
【図３】本発明の第１の実施形態の入出力装置についてｘ軸方向から見た概略構成を示す図である。
【図４】光偏向部に複数の角度から信号光が入射した際の挙動を示す図である。
【図５】位相変調素子の構成例を示す図である。
【図６】基準となる角度に光を結合させるための位相パタンの例と、その位相パタンでの反射型の位相変調素子からの回折の例を示す図である。
【図７】（ａ）は単一の周期性位相パタンによる偏向特性の例を示す図であり、（ｂ）は２つの周期性位相パタンを重畳した場合の偏向特性の例を示す図である。
【図８】（ａ）は複数の領域毎に異なる位相パタンを設定した位相変調素子の例、（ｂ）、（ｃ）はそれぞれの領域における周期性位相パタンと位相変化の例を示す図である。
【図９】本発明の第２の実施形態の入出力装置についてｘ軸方向から見た概略構成を示す図である。
【図１０】波長選択性のある光学構成の場合の位相変調素子の構成例を示す図である。
【図１１】本発明の第３の実施形態の入出力装置についてｘ軸方向から見た概略構成を示す図である。
【図１２】本発明の第４の実施形態の入出力装置についてｘ軸方向から見た概略構成を示す図である。
【図１３】本発明の第５の実施形態の入出力装置についてｘ軸方向から見た概略構成を示す図である。
【発明を実施するための形態】
【００２８】
以下、本発明を実施するための形態について図面を参照して説明する。
（第１の実施形態）
［光入出力装置の構成］
まず、本実施形態の光入出力装置について説明する。図３は、第１の実施形態の入出力装置についてｘ軸方向から見た概略構成を示す図である。図３に示す例では、信号光を入出力するポートが配列する方向をｙ軸、信号光が伝搬する方向をｚ軸としている。入力光（信号光）は入力ポート１１-1〜１１−Ｎを介して空間に出射され、光学素子１３に与えられる。光学素子１３からの出射光は光偏向部１４によって偏向角を与えられた後反射され、再び光学素子１３を経由して、出力ポート１６−１〜１６−Ｍへ入力される。信号光は、光偏向部１４により反射する角度および強度が選択され、複数の出力ポート１６−１〜１６−Мのうちの所定の出力ポート１６−ｉ（ただし、１≦ｉ≦Ｍ）から任意の強度で出力される。
【００２９】
光学素子１３としては、入力ポート１１−１〜１１−Ｎ、を介して光学素子１３に入力された光の、ｙ軸上の位置により光偏向部１４に入射する際の角度が変化するように変換する手段を用いることができ、例えばレンズや、プリズムや、凹面ミラー、回折格子などを用いることができる。
【００３０】
異なる入力ポート１１−１〜１１−Ｎからの入射光を独立に制御する為、後述する位相変調素子での光回折制御による制約により入力ポート１１−１〜１１−Ｎから入射される信号光の光偏向部への入射角θin1〜θinN、及び出力ポート１６−１〜１６−Ｍへ結合するための光偏向部からの回折角θout1,〜θoutMについて、
θi12=θin1-θin2,・・・,θi1N=θin1-θinN ,・・・,θi(N-1)N=θin(N-1)-θinN 
式（１）
θo12=θout1-θout2,・・・,θo1M=θout1-θoutM,・・・,θo(M-1)M=θout(M-1)-θoutM 
式（２）
とすると、x,yはＮ以下の、w,zはＭ以下の自然数として、以下の式（３）のような関係を持つように、入出力ポート１１−１〜１１−Ｎ、１６−１〜１６−Ｍを配置する。
【００３１】
θi xy ≠ θo wz 
→  θinX  - θinY  ≠  θoutW  - θoutZ             式(３)
式（３）によって決められたポート配置と、下に記す光偏向部による複数方向への同時偏向により、各入力からの入力信号光を独立に制御することが可能である。
【００３２】
［光偏向部の構成］
次に、この光入出力装置で用いられる光偏向部１４について詳細に説明する。
【００３３】
光偏向部１４での複数の角度への偏向と、ポート配置の条件により、任意の入力ポートから任意の出力ポートへのパスを作成する手法を以下に述べる。
【００３４】
前述した光入出力装置の構成において、以下の二つの条件を満たすことで複数ある入力ポートを独立して、任意の出力ポートに結合させることが可能になる。
１．  光偏向部での一つの偏向角では、同時に光が入力される入力ポートのうち、特定の一つのポートからの入射光のみが出力ポートに結合すること。
２．  光偏向部において、一つの入射光に対し、任意の複数の角度に偏向することが可能であること。
【００３５】
本発明は、上記二つの条件を満たすことで、複数の入力ポートからの入力光を独立してスイッチングすることが可能な光入出力装置を提案するものである。
【００３６】
最初に、条件の一つ目である「偏向部での一つの偏向角では、同時に光が入力される入力ポートのうち、特定の一つのポートからの入射光のみが出力ポートに結合する」設計手法について述べる。
【００３７】
図４（ａ）に示すように、入力ポート１〜Nからの光偏向部への入射角をθin1,..,θinN、出力ポート１〜Mへ結合する際の光偏向部１４からの出射角をθout1,...,θoutMとする。この時、図４（ｂ）に示すように、光偏向部への入射角が0°の時に光が偏向される角度をθLとすると、入力ポート１〜Nからの入射光の光偏向部１４からの出射角θio1,...,θioNは以下の式(４)ようになる。
θio1=-θin1+θL ,..., θioN=-θinN+θL    式（４）
この時、例えばθio1=θout1となるようにθLを選ぶことで、入力ポート１からの信号光が出力ポート１に結合することができる。
また、式（１）（２）より、
θio1 - θio2 = -θi12 , ・・・, θio1- θioN = -θi1N , ・・・, θio(N-1)-θioN = -θi(N-1)N 
式（５）
となる。
つまり、任意の二つの入力ポートからの信号光の光偏向部への入射角の差と、それら信号光が光偏向部から出射する出射角の差は等しくなる。
【００３８】
このとき、X,WはN以下、Y,ZはM以下の任意の自然数とすると、θioX＝θoutYの時、θioW ≠ θoutZ であること、つまりθioX = θoutY から-θiXWだけ離れた角度に回折した際に、結合する出力ポートθoutZ がないことが、一つの偏向角で結合できる入力ポートと出力ポートの組み合わせを一つに限定するためのポート配列条件となり、式(３)が全ての入出力ポートで成り立つことがポート配置の条件となる。
【００３９】
式(３)の関係を満たす位置に入出力ポートを配置した上で、θio1〜θioNがθout1〜θoutMのうち任意の値になるよう複数のθLを選ぶことができれば、任意の入力ポートからの光を独立して任意の出力ポートへ結合することが可能になる。
【００４０】
次に条件の二番目である「光偏向部において、一つの入射光に対し、任意の複数の角度に偏向することが可能」とする手法について述べる。
【００４１】
一つの入射光を複数の角度に回折させる手法として、光偏向素子の一つである位相変調素子の位相パタンの設計により、複数の角度に光を回折する手法が提案されており、それによる複数の出力ポートの所望のチャンネルに光結合を行う１ｘＮ型ＷＳＳが報告されている（非特許文献２）。
【００４２】
図５は、反射型の位相変調素子をｚ軸方向から見た場合の構成（光照射領域）を示す図である。位相変調素子はｘｙ平面上にマトリックス状に配列されたｐ×ｑ個の各画素において光の位相を独立に制御可能とされた多数の画素４１−１１〜４１−ｐｑと、各画素の位相を制御するドライバ素子４２と、裏面に反射部４３とを具備する。上記の光入出力装置において、位相変調素子に光を入射した場合の光照射領域は図５に示す領域Ｒのようになる。領域Ｒ内の各画素４１−１１〜４１−ｐｑに特定の位相パタンを与えることによって出射光（信号光）の波面を制御し、出射光の進行方向及びその方向の光パワーの制御を行うことが出来る。
【００４３】
位相変調素子は、例えば前述のＬＣＯＳ（Liquid Crystal On Silicon）を用いて実現可能である。本素子では、液晶材料の配向方向を、ドライバ電極に印加する電圧で制御可能であり、これによって入力信号が感じる液晶の屈折率を変化させることにより出射する光の位相を制御することが可能である。表面電極を透明電極とし、裏面電極を反射電極とすることで反射型の位相変調器が実現可能である。液晶材料の代わりに電気光学効果を示す材料を用いても構わない。
【００４４】
位相変調素子はまた、前述のＭＥＭＳ（MicroElectro Mechanical System）ミラーを用いても実現可能である。例えば電圧を印加することで、各画素の位置に対応するミラーをｚ軸方向へ変位させることで画素ごとに光路長を変化させ、位相を制御することが可能である。
【００４５】
図示されていないが、ドライバ素子４２に接続された位相パタン生成手段が設けられている。位相パタン生成手段が位相パタンを生成し、ドライバ素子４２がこの生成した位相パタンを駆動信号に変換して、変換した駆動信号に基づいて位相変調素子の各画素を駆動することにより、信号光の回折角度を制御することができる。
【００４６】
［位相変調素子での位相パタンの生成方法］
任意の複数の角度に光を偏向可能な光偏向素子として位相変調素子を利用する際の、位相パタンの生成方法について述べる。
【００４７】
位相変調素子によって任意の複数の角度に光を偏向する位相パタンの生成方法について説明する。まず、基準となる特定の角度に偏向する手法について説明する。
【００４８】
図６は、基準となる特定の角度に光を偏向する位相パタンの例と、反射型の位相変調素子からの回折の例を示す図である。偏向角の制御は、例えば位相変調素子に入射される光の回折角を制御することによって行われる。
【００４９】
設定する位相を図６のようにのこぎり形状５１にすることで、図６のように位相変調素子からの出射波の回折角を制御可能である。ここで、回折角度θ0、すなわち位相変調素子の法線方向に対する出射光のなす角度θ0は、
ｓｉｎθin＋ｓｉｎθ0＝ｍ・λ／Λ      式（６）
で与えられる。ただし、式（６）においてθinは位相変調素子の法線方向に対する入力ポートからの入射光のなす角度、ｍは回折次数、λは入射光の波長、Λは位相パタンの１周期の長さとする。
【００５０】
この時、θoが出力ポートの任意のポートに結合する角度となるようにΛを選ぶことで、光をスイッチすることができる。
【００５１】
ここで、位相変調を受けた際の光の波面を考える。簡単のため、θin＝０で考える。
上記のような位相変調を受けた場合には、位相変調素子に入射した光に、式（７）のような線形の位相シフトが空間的に与えられる。
E(y)＝exp[iθo y]                  式（７）
これにより波面が傾き、光が偏向される。
【００５２】
実際のチャンネルの配置は、式（６）に応じて設定されればよく、上記式（６）により決定される位置よりも多少のズレがあってもよい。ズレがある場合、上記位置からのズレが多いほど接続損失が増加することになる。
【００５３】
［複数の角度に同時に信号光を偏向する手法］  
次に、基準となる偏向角以外の角度に同時に偏向する手法を説明する。
上記式（６）を用いて基準となる偏向角に基づいて決定された基準となる周期Λの周期性位相パタンに対し、異なる周期ｗの周期性位相パタンを重畳させた位相パタンを設定することにより、複数の角度に信号光を偏向することができる。基準となる周期Λの周期性位相パタンも異なる周期ｗの周期性位相パタンも共にのこぎり波である場合を例に挙げて説明する。
【００５４】
基準となる偏向角に信号光が回折する位相パタンは、例えば、図７（ａ）の上段に示すようなのこぎり形状の周期性位相パタン６１であり、のこぎり波は周期がΛ、振幅が２πである。この位相パタンのみが存在する場合、図７（ａ）の下段に示すようにθｏへのみ光が出射する。
【００５５】
この周期性位相パタンに対して、図７（ｂ）の上段に示すように、重畳するのこぎり波の１周期中の位相φが
φ＝ｋ×ｙ％ｗ                式（８）
（％は剰余演算子を表す）
となるような周期性位相パタン６２を重畳すると、図７（ｂ）の下段に示すようにθｓの角度方向にピーク６４が現れ、ピーク６３の光パワーを分配することが出来る。
【００５６】
ここで、ｗは重畳する周期性位相パタンの１周期の長さ、ｋは定数とすると、
θｏとθｓの角度差をΔθｓ＝θｓ−θｏとして、式（６）の議論でθin＝０の場合と同様に考えることができ、ｓｉｎΔθｓ＝n・λ／ｗ  と表すことができる。
【００５７】
この式にΔθｓ＝θｓ−θｏを代入して変形すると、偏向角θｓは、次式（９）で表すことが出来る。
θｓ＝θｏ＋ａｒｃｓｉｎ（n・λ／ｗ）
→  sinθｓ + sinθo  ＝  ｍλ／Λ + nλ／ｗ  式（９）
ｍ,nは回折の次数であり、整数である。
【００５８】
この時、１番目の入射光とは異なる入力ポートからの入射光が位相変調素子の法線方向に対してなす角をθin2、式（９）のθ0で結合する出力ポートとは異なる出力ポートへ結合するために位相変調素子の法線方向に対して出射光のなす角度θo2とすると、
θｓ＝θo2                    式（１０）
となるように式（８）のｗを選ぶことで、複数の角度で位相変調素子に入射される入力光を、複数の出力ポートにそれぞれ光結合させることができ、その為の条件は式（１１）である。この時、|θin1|、|θin2|、|θo1|、|θo2|<<1としている。
θo2＝ｍ・λ／Λ＋ａｒｃｓｉｎ（ｍ・λ／ｗ）-θin2
式（１１）
【００５９】
実際のチャンネルの配置は、式（１０）および式（１１）に応じて設定されればよく、上記式（９）により決定される位置よりも多少のズレがあってもよい。ズレがある場合、上記位置からのズレが多いほどアッテネーション量が増加することになる。
【００６０】
式（８）により決定した基準の周期Λを有する周期性位相パタンに追加する周期ｗ1を有する周期性位相パタンを重畳したうえに、更に異なる周期ｗ2を持つ１周期中の位相φ2が、
φ2＝ｋ2×（ｙ％ｗ2）          式（１２）
で表される周期性位相パタンを重畳して生成した位相パタンを設定することにより
θs2＝θo＋ａｒｃｓｉｎ（λ／ｗ2）      式（１３）
の角度方向にも、更に光を偏向することが可能となり、３つ以上の角度への同時偏向が可能となる。
【００６１】
同様に、互いに異なる周期を持った４つ以上の周期性位相パタンを重畳することにより４つ以上の角度への同時偏向が可能である。すなわち、上記のとおり信号光を偏向したい角度に基づいて周期性位相パタンの周期を決定し、この決定した互いに異なる周期の複数の周期性位相パタンを重畳して位相変調素子に設定する位相パタンを生成すればよい。
【００６２】
なお周期性位相パタンはのこぎり波だけでなく、正弦波、矩形波のいずれか、あるいはこれらを組み合わせた波形でもよい。また重畳する周期性位相パタンごとに波形が異なっていてもよい。
【００６３】
［出力光強度比の調整］
次に複数の角度に偏向した際の、出力強度比を調整する手法について説明する。
【００６４】
式（８）のｋ、および式（１２）のｋ2を変化させて重畳する周期性位相パタンの振幅、及び重畳される前の基準となる周期性位相パタンの振幅を制御することで、基準となる周期性位相パタンによる出射方向の光パワーと重畳した周期性位相パタンによる出射方向の光パワーの比を制御することが可能である。すなわち、複数ある偏向角の分岐比を設定することが可能となる。これは、３つ以上の周期性位相パタンを重畳する場合にも同様に第２のポートのチャンネル毎の分岐比を設定できる。
【００６５】
また、位相変調素子を複数の領域に分け、各領域に異なる周期の周期性位相パタンを設定することで複数の角度へ偏向することも可能である。図８では、領域ＡにΛ１の周期を持つ周期性位相パタンを、領域ＢにΛ２の周期を持つ周期性位相パタンを設定することで、下記の式（１４）、式（１５）で決まるθo1とθo2に同時に光を回折する。
ｓｉｎθin＋ｓｉｎθo1  ＝ｍ・λ／Λ１      式（１４）
ｓｉｎθin＋ｓｉｎθo2  ＝ｍ・λ／Λ２      式（１５）
【００６６】
図８の領域Ａと領域Ｂそれぞれの広さと位置を変更することにより、θo1とθo2それぞれに回折される光の強度を調整可能である。同じ広さであれば、光強度の強い位置に存在するほどその領域に応じた回折光が強くなり、光強度が同じであれば、範囲が広いほどその領域に応じた回折光が強くなる。
【００６７】
上記のような位相変調パタンの設計により、複数の周期性位相パタンを重畳することで、その周期に対応した方向へ光パワーを分配して複数の角度へ信号光の偏向が可能になる。また、重畳する周期性位相パタンの振幅を制御することにより、高精度な光強度の制御を行うことができる。
【００６８】
（第２の実施形態）
図９は、第２の実施形態の入出力装置についてｘ軸方向から見た概略構成を示す図である。この実施形態では、入力ポート１１−１〜１１−Nから光偏向部１４の間に波長分散素子１７を配置した点で第１の実施形態とは異なっている。第１の実施形態の入出力装置と異なる部分のみ説明する。波長分散素子１７は、入出力ポート１１−１〜１１−N、１６−１〜１６−Mと光学素子１３との間か、または光学素子１３と光偏向部１４との間かのいずれの位置に配置してもよい。
【００６９】
この実施形態では、入力する信号光は、例えば波長λ１〜λｎまでの光を束ねるＷＤＭ（Wavelength Division Multiplexing、波長分割多重）光を用いることができる。図９に示す例では、入出力ポート１１−１〜１１−N、１６−１〜１６−M及び光学素子１３の間に波長分散素子１７を配置し、波長ごとに紙面垂直方向（ｘ方向）に集光位置が異なるようにし、波長ごとに異なる出力ポートや光強度を選択可能としている。波長分散素子１７は紙面垂直方向（ｘ方向）に回折性能を有しており、入力光の波長により光偏向部１４の紙面垂直方向に異なる位置に光を照射している。
【００７０】
光偏向部１４として領域ごとに偏向角を独立して制御可能な偏向素子を用いることで、波長チャンネルごとに異なる偏向角、出力光強度を設定可能である。たとえば、ＬＣＯＳであれば、図１０に示すように、複数の領域ごとに、位相パタンを独立に制御する構成とすることができる。
【００７１】
また、入射光をＷＤＭ信号とし、回折格子でｘ軸方向（例えば図９の紙面垂直方向）に分散させる場合、その入射領域は、図１０に示すように波長チャンネル毎に異なり、ｘ軸方向に並列した領域Ｒｌ〜Ｒｎのようになる。この場合、領域Ｒ１〜Ｒｎの位相パタンを前述の位相パタンの生成手法に基づき独立に制御することで波長チャンネルごとに異なる偏向角、出力光強度を、設定可能である。
【００７２】
（第３の実施形態）
図１１は、第３の実施形態の入出力装置についてｘ軸方向から見た概略構成を示す図である。第１の実施形態では、反射型の光偏向部を用いていたが、この実施形態３では、透過型の光偏向部を用いて光入出力装置を構成している。図１１は、ｘ軸方向から見た透過型光偏向部を用いた光入出力装置の構成例を示すものである。第３の実施形態の入出力装置について第１の実施形態の入出力装置と異なる部分のみ説明する。
【００７３】
本実施形態の光入出力装置では、図１１に示すように、入力側から、入力ポート２１−１〜２１−Nと、光学素子２３と、光偏向部２４と、光学素子２５と、出力ポート２７−１〜２７−Mとが配置されて構成されている。
【００７４】
光偏向部２４は、透過型の光偏向部で構成されている。すなわち、第１の実施形態の光偏向部１４とは異なり、ドライバ素子４２の裏面に反射部４３が設けられていないため、入力ポート２１−１〜２１−N側から入射された光は、位相変化を与えられた後、出力ポート２７−１〜２７−M側に透過する。光偏向部２４には、第１の実施形態の光偏向部１４と同様に表面および裏面には電極が設けられているが、光偏向部２４では表面及び裏面電極の両方を透明電極とすることで、透過型位相変調器が実現可能である。反射型である光偏向部１４では、上述したとおり、光偏向部１４に入射した光が、入射面における法線方向に対して所定の角度（θ0、θｓ）で出射されていたが、透過型である光偏向部２４では、光偏向部２４に入射した光が、入射面とは反対の面における法線方向に対して所定の角度（θ0、θｓ）で出射される点が異なるが、それ以外は反射型の光偏向部１４と同様に機能する。
【００７５】
図１１の構成では、図示左手の入力ポート２１−１〜２１−Nからの入力光が、出力されるチャンネルおよび出力光強度が調整された後、図示右手の複数の出力ポート２７−１・・・２７−Mのうちの所定のものに出力される。入力光は入力ポート２１−１〜２１−Nを介して空間に出射され、第１の光学素子２３に入射される。第１の光学素子２３からの出射光は光偏向部２４によってその入射位置に応じた位相変化が与えられた後、第２の光学素子２５へと透過する。光偏向部２４を透過した光は、出力ポート２７−１〜２７−Mへ接続する。信号光は、光偏向部２４により第２の光学素子２５に接続する出力ポート及び光強度が選択されることにより、複数の出力ポート２７−１〜２７−Mのうちの所定の出力ポート２７−ｉ（ただし、１≦ｉ≦Ｍ）から任意の強度で出力される。
【００７６】
（第４の実施形態）
図１２は、第４の実施形態の入出力装置についてｘ軸方向から見た概略構成を示す図である。この実施形態では、入力ポート２１−１〜２１−Nから光偏向部２４の間および光偏向部２４から出力ポート２７−１〜２７−Mの間に波長分散素子２８、２９を配置した点で第３の実施形態とは異なっている。第４の実施形態の入出力装置について第３の実施形態の入出力装置と異なる部分のみ説明する。
【００７７】
この実施形態でも第２の実施形態と同様に、入力する信号光は、例えば波長λ１〜λｎまでを束ねるＷＤＭ（Wavelength Division Multiplexing）光を用いることができる。図１２に示すように、入力ポート２１−１〜２１−Nおよび光学素子２３の間に波長分散素子２８を配置するとともに出力ポート２７−１〜２７−Mおよび光学素子２５の間に波長分散素子２９を配置して、波長ごとに集光位置を異なるようにし、波長ごとに異なる出力ポートや光強度を選択可能とすることができる。
【００７８】
図１２では、波長分散素子は紙面垂直方向（X方向）に回折性能を有しており、入力光の波長により光偏向部１４の紙面垂直方向に異なる位置に光を照射している。波長分散素子２８、２９は光学素子２３と光偏向部２４の間、および光偏向部２４と光学素子２５の間に配置してもよい。
【００７９】
（第５の実施形態）
図１３は、第５の実施形態の入出力装置についてｘ軸方向から見た概略構成を示す図である。この実施形態では、入力ポート１１−１〜１１−Nの他に入力ポート１００−１〜１００−Kが、出力ポート１６−１〜１６−Mの他に出力ポート２００−１〜２００−Jが存在することが第１の実施形態とは異なっている。第５の実施形態の光入出力装置について、第１の実施形態の光入出力装置とは異なる部分のみ説明する。
【００８０】
第１の実施形態では、式（３）に従うことで、入力ポート１１−１〜１１−Nのうち任意の入力ポートと出力ポート１６−１〜１６−Mのうち任意の出力ポートを結合させることが可能である。しかしこの実施形態では、全ての入力光をM分岐する必要があり、出力ポート数Mに比例した損失が発生する。
本実施形態では、光偏向部１４において位相変調素子の位相パタンを制御することによって複数のポートの接続状態を一括で切り替える事を許容することにより、上記の分岐数を抑制する手法である。
【００８１】
ここで、入力ポート１１−１〜１１−Nからの光偏向部への入射角をθin1,..,θinN、
入力ポート１００−１〜１００−Kからの光偏向部への入射角をθin1_2,..,θinK_2、
出力ポート１６−１〜１６−Mへ結合する際の光偏向部１４からの出射角をθout1,...,θoutM、
２００−１〜２００−Jへ結合する際の光偏向部１４からの出射角をθout1_2,...,θoutJ_2とする。
【００８２】
この時、光偏向部への入射角が0°の時に光が偏向される角度をθLとすると、入力ポート１１−１〜１１−Nからの入射光の光偏向部１４からの出射角θio1,...,θioNは以下に再掲する式(４)ようになる。
θio1=-θin1+θL ,..., θioN=-θinN+θL    式（４）
この時、例えばθio1=θout1となるようにθLを選ぶことで、入力ポート１からの信号光が出力ポート１に結合することができる。
【００８３】
この時、入力ポート１００−１〜１００−Kからの入射光の光偏向部１４からの出射角θio1_2,...,θioK_2は以下の式(16)ようになる。
θio1_2=-θin1_2+θL ,..., θioK_2=-θinK_2+θL    式（16）
【００８４】
また、式（１）（２）より、
θio1 - θio1_2 = -(θin_1 -θin_1_2), ・・・, θio1- θioK_2 = - (θin_1 -θin_K_2), ・・・, θioN-θioK_2 = - (θin_N -θin_K_2) 
式（17）
となる。
【００８５】
つまり、入力ポート１１−１〜１１−Nのうち任意の入力ポートと入力ポート１００−１〜１００−Kのうち任意の入力ポートからの信号光の光偏向部への入射角の差と、それら信号光が光偏向部から出射する出射角の差は等しくなる。
【００８６】
このとき、XはN以下、YはM以下、WはK以下、ZはJ以下の自然数とすると、
θioX＝θoutYの時、θioW_2 = θout Z_2 であること、つまりθioX = θoutY から-(θin_X -θin_W_2)だけ離れた角度に回折した際に、結合する出力ポートθoutZ_2が配置されている事
により、偏向角を増やすことなく、つまりは分岐数を増やすことなく入出力ポート数を増やすことが可能となる。
【００８７】
この時、入力ポート１１−Xと入力ポート１００−Wは独立ではなく、セットでスイッチ状態が切り替わることになる。
出力ポート数がMからM+Jに増えたが、分岐数はMのままであるため、出力ポート数増加に伴う分岐数増加による損失を抑制可能である。
【００８８】
同様の手法により、3つ以上の入力ポートをセットで切り替える事が可能であり、その際には同一の入力ポート数に対して、より分岐数と損失を抑制できる。
【００８９】
上記のような入出力ポートを追加しても分岐数が増加しないことは第２から第４の実施形態の光入出力装置においても不変であり、本手法によりポート数に対して必要な分岐数を減らして損失を抑制する事は、第２から第４の実施形態の光入出力装置においても同様に可能である。
【００９０】
なお、本実施形態５の図１３では光偏向部１４は反射型の構成を例示したが、実施形態３、４のように透過型の光偏向部でも構成可能であることは自明である。
【００９１】
また、全ての実施形態において、説明のため光信号の進行方向を仮定し、入力ポートと出力ポートを区別して記載している部分もあるが、光信号の可逆性、双方向性により出力ポート側から光信号を入力し、入力ポート側から出力する構成も可能であることは、各図の光信号の双方向の矢印にも示すように当然のことであり、入力ポート、出力ポートはそれぞれ入出力ポートということができる。
【符号の説明】
【００９２】
１１−１〜１１−N、１００−１〜１００―K、１６−１〜１６−M、２００−１〜２００―J  入出力ポート
１３  光学素子
１４  光偏向部
１７  波長分散素子
２１−１〜２１−N、２７−１〜２７−M  入出力ポート
２３、２５  光学素子
２４  光偏向部
２８、２９  波長分散素子
４１−１１〜４１−ｐｑ  画素
４２  ドライバ素子
４３  反射部
１００１，１００２  １ｘ４ＤＲＯＰ型ＷＳＳ
１０１１〜１０１４  ２ｘ１ＡＤＤ型ＷＳＳ
１０２１  ２ｘ４型ＷＳＳ
【図１】
0006431461.tif 000002
【図２】
0006431461.tif 000003
【図３】
0006431461.tif 000004
【図４】
0006431461.tif 000005
【図５】
0006431461.tif 000006
【図６】
0006431461.tif 000007
【図７】
0006431461.tif 000008
【図８】
0006431461.tif 000009
【図９】
0006431461.tif 000010
【図１０】
0006431461.tif 000011
【図１１】
0006431461.tif 000012
【図１２】
0006431461.tif 000013
【図１３】
0006431461.tif 000014